Podtech/llm-jp-corpus-v4-ja_patent huggingface dataset:
(57)【要約】      （修正有）【課題】その日分の薬を間違いなく服用できたかが簡単な構成でわかり、外出時の携帯にも問題を起こさない。また、これを服用者自らが薬のパッケージに貼り付けるようにすると、本人の老化防止にも役立つ薬用日付シートを提供する。【解決手段】台紙２上に貼付された個々のシール３は、裏面に台紙より剥離可能とする粘着剤が塗布され、表面に少なくとも１から３１までの数字を印刷して錠剤、分包、等の薬用日付シート１とする。【選択図】図１
0003182349.tif 000002
【実用新案登録請求の範囲】
【請求項１】
台紙（２）上に多数のシール（３）を貼付した薬用日付シート（１）において、個々のシール（３）は、その裏面に台紙より剥離可能とする粘着剤を備え、かつ、その表面に少なくとも１から３１までの数字を印刷したものであることを特徴とする薬用日付シート。
【考案の詳細な説明】
【技術分野】
【０００１】
本考案は、毎日食後等に服用する錠剤を収容したパッケージ（医薬用ＰＴＰ包装体）や、丸薬や粉薬を小分けにして包装した分包、等の表面上に貼付するシールに関するものであり、具体的には、台紙上に多数のシールを貼付した薬用日付シートに関するものである。
【背景技術】
【０００２】
日本では高齢化が進み、総人口に対する高齢者の比率が今後急速に高まると予想されている。人は年を重ねるにつれ、病院通いと朝、昼、晩と薬を服用することが一日の仕事となって来るものである。もともとは、丸薬や粉薬を小分けにして包装した薬の分包、等が用いられていたが、最近では薬もタブレットになり、１０個程度まとめてパッケージ化されている。そこで、従来、例えば、登録実用新案第３１４３３２９号公報に記載されるような、薬整理箱という食事ごとに飲用する数種類の薬を、パッケージから切り離し、朝、昼、晩ごとに分別・整理して収容する収容箱があった。確かに、この整理箱に薬を分別整理しておけば、食後の薬の服用時に飲むべき薬をいちいち確認することもなく、そのまま簡単に服用でき、飲み忘れもなくなるという利点があった。しかし、このようなある程度の大きさのある薬整理箱を外出先まで携帯するにはまったく困難な現状があった。
【先行技術文献】
【特許文献】
【０００３】
【特許文献１】登録実用新案第３１４３３２９号公報
【考案の概要】
【考案が解決しようとする課題】
【０００４】
本考案は、以上の点に鑑み、外出先にも容易に携帯することができ、しかも、正確な薬の服用の確認を可能にする錠剤や分包、等の薬用日付シートを提供するものである。
【課題を解決するための手段】
【０００５】
そのために、本考案は、台紙上に貼付された個々のシールの裏面に台紙より剥離可能とする粘着剤を塗布するとともに、表面には少なくとも１から３１までの（日付を表わす）数字を印刷したことを特徴としている。台紙より剥がされたシールは、錠剤、カプセル等が包装された医薬用ＰＴＰ包装体の表面や、粉薬等を小分けに包装する分包の表面に貼付される。
【考案の効果】
【０００６】
この結果、本考案の１から３１までの数字（日付）が印刷されたシールをＰＴＰ包装体や分包、等の表面に貼付すれば、毎日の服薬を可視化して服薬を容易にするものであり、薬を間違いなく服用したかどうかを確認でき、薬の正しい服用に大きく寄与することとなる。
【考案を実施するための形態】
【０００７】
本考案の有利な実施形態は、添付の図を参照した次の説明から明らかとなる。図１は、本考案に用いられる薬用日付シート１を示す。シート１の台紙２には、１から３１の数字が印刷された多数のシール３が貼付されている。このシール３の裏面には粘着剤が塗布され、この粘着剤によりシール３は台紙２に貼付されるとともに、指先で台紙２より剥がすこともできる。剥がされたシール３は、粘着剤により錠剤等が包装された医薬用ＰＴＰ包装体、分包、等の表面に貼り付けることが可能である。
【０００８】
シール３は、朝、昼、晩、夜、等の区別が付くように、色別にしたものが何枚か一行に並べられている。２行目には数字の２が印刷されたシール、３行目には数字の３が印刷されたシール、・・・が貼付される。例えば、１列目は赤のシール、２列目は黄色のシール、３列目は青のシール、４列目は緑のシール、・・・という具合に色別される。また、シールの色を同じにして数字の色だけを上記したように変えてもよい。
【０００９】
以上の例では、シール３の表面に、１から３１までの日付に関する数字のみを色別に印刷したものであるが、このほかにも、例えば、１に関しては、１朝、１昼、１晩、１夜と印刷しても、１／朝、１／昼、１／晩、１／夜と印刷してもよい。つまり、少なくとも１から３１までの日付に関する各数字の印刷されたシールが、最低４組ずつ計１２４枚、揃っていればよい。このように朝、昼、晩、・・・の漢字が印刷されたシール３の場合、色別にする必要はないが、色別にしたほうが視覚的にも優れて服用者にもわかりやすい。
【００１０】
シール３の外形も、丸以外に星、四角、正方形とさまざまな形が考えられる。また、服用者自らがサインペンで日付を書けるように、印刷されていない無地のシールを台紙の端に加えてもよい。また、本考案は薬用の日付シールであるが、手製カレンダーの日付シールにも利用できるし、また、子供の学習用達成シール、幼児の食事の完食達成シールとしても利用できる。
【００１１】
本考案により、その日分の薬を間違いなく服用できたことが簡単な構成でわかる。また、外出時の携帯にも問題を起こすこともない。さらに、これを服用者自らが薬のパッケージに貼り付けるようにすると、本人の老化防止にも役立つことになり、薬の多くが服用されずに廃棄されている昨今、この無駄を省くことによる経済効果が期待できる。
【図面の簡単な説明】
【００１２】
【図１】図１は、本考案に用いられる薬用日付シートをあらわす。
【符号の説明】
【００１３】
１  薬用日付シート（お薬シール）
２  台紙
３  少なくとも１から３１までの数字が印刷されたシール
【図１】
0003182349.tif 000003
(57)【要約】      （修正有）【課題】机の天板の高さの昇降調整を具有する構造装置を提供する。【解決手段】承接台、接続棒２、昇降棒３、可動ネジ蓋の構造体４で構成する高さの昇降調整を具有する構造装置である。該可動ネジ蓋の構造体４とは、上方から下方に向けて蓋４１、ベアリング４２１及び斜歯歯車４２で構成するものである。天板の下の左右両サイドにそれぞれ一つの可動ネジ蓋の構造体４を設置し、両者を互いに一本の接続棒２で接続することで高さを昇降調整する装置を形成し、天板の高さを調整できる構造体及び接続棒２の結合により昇降することができる。本考案は広くパソコンデスク、絵画机、オフィスデスク、学習机及びその他の天板に応用することができる。【選択図】図１
0003182360.tif 000002
【実用新案登録請求の範囲】
【請求項１】
承接台、接続棒、昇降棒、可動ネジ蓋の構造体を含み、
該可動ネジ蓋の構造体とは、上方から下方に向けて蓋、ベアリング及び斜歯歯車で構成するものであり、該ベアリングを斜歯歯車４２の上方に設置することで、ベアリングを使って回転して昇降する動きがよりスムーズとなり、
天板の下の左右両サイドにそれぞれ一つの可動ネジ蓋の構造体を設置し、両者を互いに一本の接続棒で接続することで高さを昇降調整する装置を形成し、天板を昇降することを特徴とする高さの昇降調整を具有する構造装置。
【考案の詳細な説明】
【技術分野】
【０００１】
本考案は高さの昇降調整を具有する構造装置に関し、六つ穴の承接台、接続棒、昇降棒及び可動ネジ蓋の構造体で構成し、天板の高さの昇降調整が実用的である高さの昇降調整を具有する構造装置に関する。
【背景技術】
【０００２】
現在のパソコン机、学習机、絵画机、オフィスデスクなどはいずれも昇降機能の装置を設置していないため、多くの不便が生じている。特に人によって身長が違うため、天板が高すぎる或いは低すぎるなど、いずれも座る姿勢を悪くすることで、腰や背中が痛み、腕及び肩にダメージを与える。天板の高さを調整できないデザインでは、確実に不便やダメージをもたらすが、天板の高さを調整できる装置は、コストが高すぎて実用的ではないことを鑑みて、更なる改善が必要であった。
【先行技術文献】
【特許文献】
【０００３】
【特許文献１】特開平１１−３２２２８３号公報
【考案の概要】
【考案が解決しようとする課題】
【０００４】
前記公知構造の欠点を解決するため、本考案は高さの昇降調整を具有する構造装置を提供することを主な課題とする。
【課題を解決するための手段】
【０００５】
前記課題を解決するために、本考案は高さの昇降調整を具有する構造装置を提供するものである。如何なる天板の下の左右両サイドに一対の可動ネジ蓋の構造体を設置し、且つ一本の接続棒で互いに接続する。当該特徴は、蓋の穴の中に一つのベアリング部品を設置することで、回転棒を左右両サイドの穴の中に入れて回転すると更にスムーズに回る。天板にて机の高さを回転して調整するため、机が置かれている環境に制限されない。更に机の高さを調整するのにサイドで回転操作するように、机が置かれている環境に制限されることはない。よって、本考案は如何なる形状の机でも、便利に高さの昇降調整をすることができる。
【考案の効果】
【０００６】
本考案は天板の下の左右両サイドに一対の可動ネジ蓋の構造体を設置し、且つ一本の接続棒で互いに接続し、蓋の穴の中に一つのベアリング部品を設置することで、回転棒を左右両サイドの穴の中に入れて回転するとスムーズに回る。天板にて机の高さを調整するため、机を置く環境に制限されず、如何なる形状の机でも、便利に高さの昇降調整をすることができる。
【図面の簡単な説明】
【０００７】
【図１】本考案における立体分解図である。
【図２】本考案の机の承接棒、外パイプ及び高さの昇降調整の構造体の結合側視図である。
【図３】本考案の机と高さの昇降調整の構造体が互いに結合する正視図である。
【図４】本考案の二本の高さの昇降調整の構造体と接続棒及び回転棒が互いに結合する立体図である。
【図５】本考案の机と高さの昇降調整の構造体が互いに結合する断面立体図である。
【図６】本考案の実施例の図である。
【考案を実施するための形態】
【実施例】
【０００８】
本考案による高さの昇降調整を具有する構造装置の構造を明確に示すために図に沿って詳細な説明を行う。図１に示すように、主に高さを昇降調整する構造体1’は、六つ穴の承接台１及び可動ネジ蓋の構造体４で組合せ、更に接続棒２、昇降棒３で構成する。
該六つ穴の承接台１は立方体を呈し、六つの面にそれぞれ承接穴ａ、ｂ、ｃ、ｄ、ｅ、ｆを設ける。該承接穴eの上方は斜歯歯車４２を承接し、承諾穴ｃは斜歯歯車２１を承接し、及び承接穴ｆは斜歯歯車３１を承接する。可動ネジ蓋の構造体４の蓋４１と斜歯歯車４２の間に一つのベアリング４２１を設置して互いを組み合わせ、それを承接穴ｅの中に設置する。該昇降棒３は外パイプＲ１及びネジ棒３２で構成する。同時に高さを昇降調整する構造体２’の構造は同じである。
【０００９】
図２及び図５に示すように、該承接棒Ｒと高さを昇降調整する構造体1’は互いに結合して外パイプＲ１に挿入する。また、図３に示す高さを昇降調整する構造体1’と承接棒Ｒと外パイプＲ１は互いに結合する。また、高さを昇降調整する構造体２’と承接棒Ｌと外パイプＬ１は互いに結合する。高さを昇降調整する構造体1’と高さを昇降調整する構造体２’の間に一本の接続棒２を設置する。また、図４及び図６に示すように、該回転棒Ｍを天板Ｄに設置する穴に差し込み、高さを昇降調整する構造体1’の可動ネジ蓋の構造体４と、高さを昇降調整する構造体２’の可動ネジ蓋の構造体４’内に挿入し、回して昇降調整することができる。
【００１０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１１】
１’、２’  高さを昇降調整する構造体
１  六つ穴の承接台
２  接続棒
２１  斜歯歯車
３  昇降棒
３１  斜歯歯車
３２  ネジ棒
４、４’  可動ネジ蓋の構造体
４１  蓋
４２  斜歯歯車
４２１  ベアリング
Ｄ  天板
Ｍ  回転棒
Ｌ、Ｒ  承接棒
Ｌ１、Ｒ１  外パイプ
【図１】
0003182360.tif 000003
【図２】
0003182360.tif 000004
【図３】
0003182360.tif 000005
【図４】
0003182360.tif 000006
【図５】
0003182360.tif 000007
【図６】
0003182360.tif 000008
(57)【要約】      （修正有）【課題】包丁の柄の分と刃の部分との間に人差し指を入れる箇所を設け、怪我を防止した安全包丁を提供する。【解決手段】包丁本体Ａに人差し指を入れる箇所Ｂを柄Ｄと刃Ｃの間に設け、そこに人差し指を入れることで、刃Ｃの下に指がくることが無く、怪我の防止に役立つ。【選択図】図１
0003182753.tif 000002
【実用新案登録請求の範囲】
【請求項１】
包丁の柄の部分と刃の部分の間に、人差し指を入れる箇所を設けた所を特徴とする安全包丁。
【考案の詳細な説明】
【技術分野】
【０００１】
本発明は、包丁を使用する際に人差し指を入れる箇所を設置し、指を怪我しないようにしたものである。
【背景技術】
【０００２】
従来は人差し指を入れる箇所のついた包丁はなかった。
【考案の概要】
【考案が解決しようとする課題】
【０００３】
包丁を使用する際に、人差し指を刃の下に持ってきてしまい、怪我をする難点があった。本発明は、この課題を解消するためになされたものである。
【課題を解決するための手段】
【０００４】
包丁の、柄の部分と刃の部分の間に、人差し指を入れる箇所を設け、安全に使用できるようにした。
【考案の効果】
【０００５】
人差し指を入れる箇所に、人差し指を入れることで、怪我をしない。また、堅いものを切る際に、力が入りやすい。
【図面の簡単な説明】
【０００６】
【図１】安全包丁の側面図である。
【符号の説明】
【０００７】
（A）包丁本体（B）人差し指を入れる箇所（C）刃（D）柄
【図１】
0003182753.tif 000003
(57)【要約】      （修正有）【課題】多種類の飲み薬を、事前に用意しておくことが出来る薬箱を提供する。【解決手段】朝、昼、夕、晩の薬を入れる場所６、７、８、９のあるトレイ４を一対の平面と一対の半円面のある支柱５を軸として円回転をさせ薬の取り出し口と、薬を入れる場所６、７、８、９を服用毎に合わせて、必要に応じて他の出し入れ口１０とを合わせて薬を取り出すことが出来、トレイ４の円回転により出し入れ口１０と支柱５の一対の平面とが直線状になった時トレイ４の本体からの脱着が可能となり任意の時間に薬の用意が出来再び本体に取り付けることが出来る。【選択図】図２
0003182738.tif 000002
【実用新案登録請求の範囲】
【請求項１】
一対の平行面と一対の半円面を持つ支柱を軸として、薬を入れる場所を持つトレイを円回転させることによって一回分服用の薬が取り出せ、トレイの円回転により出し入れ口が支柱の一対の平行面と平行状になった時トレイを直線運動に変えることが出来本体からのトレイの脱着が可能となり任意の時間に薬の用意が出来る薬箱。
【考案の詳細な説明】
【技術分野】
【０００１】  本考案は、飲み薬を入れる薬箱に関するものである。
【背景技術】
【０００２】  多種類の薬を服用ごとに小分けして保管が出来る小型で軽量な薬箱を提供することである。
【先行技術文献】
【特許文献】
【０００３】
【登録番号】
登録実用新案第３１００９４３号
【考案の概要】
【考案が解決しようとする課題】
【０００４】  多種類の薬を服用度毎に用意することは不便であり、煩雑である。
【課題を解決するための手段】
【０００５】  事前の任意の自由時間に薬の用意が出来るようにする。
【図面の簡単な説明】
【０００６】
【図１】本考案に係る摘みと蓋の平面図である。
【図２】本考案に係るトレイと支柱の平面図である。
【図３】本考案に係る薬箱の全体の断面図である。
【本考案を実施する形態】
【０００７】  図２は本考案によるトレイ４であり朝、昼、夕、晩の薬を入れる場所６、７８、９を間仕切りによって４個所を備えていて誤飲を避けるために色分けをしたり文字を記入したりしてある。
【０００８】  図２は本考案による支柱５であり一対の平行面と一対の半円面とで出来ている。
【０００９】  摘み１、蓋２、支柱５および底部１１は固定されており本考案の本体である。
【００１０】トレイ４はドーナツ状に近く中空であり支柱５を軸として時計回り又は反時計回りに指で３６０度回転させることが出来、薬を入れる場所６，７，８，９と薬の取り出し口３とをそれぞれに合わせることにより一回分の薬を取り出すことができる。
【００１１】  一日に４回服用するとしてトレイ４を３段重ねれば三日分の薬の保管が出来る図３の薬箱となるのである。
【００１２】  トレイ４を円回転させることにより２段目、３段目の薬を入れる場所６，７，８，９からも薬の取り出し口３、出し入れ口１０を合わせることで薬を取り出すことが出来るのである。
【００１３】  トレイ４を円回転させることにより出し入れ口１０が支柱５の一対の平行面と直線状になった時トレイ４を円運動から直線運動に切り変えることが出来て本体からトレイ４の脱着が可能となり任意の自由時間にトレイ４全部を取り出して薬を用意する事か出来るし或は一個だけを取り出して薬の補充をして再び本体に取り付けることが出来るのである。
【符号の説明】
【００１４】  １  摘み
２  蓋
３  薬の取り出し口
４  トレイ
５  支柱
６  薬を入れる場所
７  薬を入れる場所
８  薬を入れる場所
９  薬を入れる場所
１０  出し入れ口
１１  底部
【図１】
0003182738.tif 000003
【図２】
0003182738.tif 000004
【図３】
0003182738.tif 000005
(57)【要約】      （修正有）【課題】貯雪施設内の雪氷魂から安定した冷気を取り出す装置を提供する。【解決手段】貯雪施設内の床面に有孔蓋２１をのせ空気が通り抜ける溝２２を設け、この通風経路内に配した送気ファン装置で暖かい空気を送ることにより、有孔蓋２１から漏れた空気がこの雪塊１１底面と接触することで風洞を形成し、この風洞内面で熱交換させ冷気を作る。【選択図】図１
0003182732.tif 000002
【実用新案登録請求の範囲】
【請求項１】
冷熱を供給する貯雪施設内の床面に有孔蓋をのせ空気が通り抜ける溝を設け、この通風経路内に配した送気ファン装置で暖かい空気を送ることにより、有孔蓋から漏れたこの空気が雪塊底面と接触することで風洞を形成し、この風洞内面で熱交換する装置。
【考案の詳細な説明】
【技術分野】
【０００１】  本実用新案は、貯雪施設内の雪氷塊から安定した冷気を取り出す装置である。
【背景技術】
【０００２】  雪氷塊表面に暖かい空気を吹き付けると熱交換され冷たい空気となる。【０００３】  雪氷が溶けた融雪水は冷水として利用する。
【先行技術文献】
【実用新案文献】
【０００４】  実願２０１２−００２０８７  雪氷乾燥装置と加温装置の組合せ
【実用新案の概要】
【実用新案が解決しようとする課題】
【０００５】  雪氷冷熱により冷蔵若しくは冷房する施設において、冷熱を供給する貯雪施設内の雪氷塊表面に暖かい空気を吹き付けると熱交換され冷たい空気となるが、時間が経つにつれて雪氷塊に混入していた汚泥が表面に浮き出て、これが表面を覆うようになり熱交換能力が低下し、冷気の安定供給が損なわれていた。
【課題を解決するための手段】
【０００６】  前記の課題を解決するため、貯雪施設内の床面に有孔蓋をのせ空気が通り抜ける溝を設け、この通風経路内に配した送気ファン装置で暖かい空気を送ることにより、有孔蓋から漏れた空気がこの雪塊底面と接触することで風洞を形成し、この風洞内面で熱交換させ冷気を作る横方向風洞形成の雪氷冷熱交換装置とする。
【実用新案の効果】
【０００７】  雪氷塊内部に風洞を形成することで、混入していた汚泥も融雪と同時に落下するため、常に新しい半円状の雪氷面で熱交換が行われ冷たい空気ができる。
【０００８】  融雪水は設けた床の溝に流下し貯留することで冷水として利用する。
【図面の簡単な説明】
【０００９】
【図１】実施形態に係る横方向風洞形成の雪氷冷熱交換装置を例示する図である。
【実用新案を実施するための形態】
【００１０】  図１は本実用新案に係る横方向風洞形成の雪氷冷熱交換装置の一実施形態を示すもので、１０は貯雪施設、２０は雪氷冷熱交換装置、３０は冷蔵若しくは冷房対象施設である。
【００１１】  貯雪施設１０には、汚泥が混入した降積雪の雪氷塊１１を収納する。
【００１２】  雪氷冷熱交換装置２０には、貯雪施設１０の床面に有孔蓋２１をのせた溝２２を設ける。
【００１３】  冷蔵若しくは冷房対象施設３０から通気ダクト２３を経由して、戻された暖かい空気２４は、貯雪施設１０の吹き出し口２５から還気送風機２６の動力により吐き出される。
【００１４】  吹き出された空気は、貯雪施設１０の溝２２に給気送風機２７により吸引される。
【００１５】  吸引された空気は有孔蓋２１か漏れ、雪氷塊１１の下部に半円状の風洞２８を形成する。
【００１６】  この半円状の風洞２８内で戻された暖かい空気２４は、熱交換され冷気２９となり冷蔵若しくは冷房対象施設３０に供給される。
【符号の説明】
【００１７】    １０  貯雪施設
１１  汚泥が混入した雪氷塊
２０  雪氷冷熱交換装置
２１  有孔蓋
２２  溝
２３  通気ダクト
２４  戻された暖かい空気
２５  吹き出し口
２６  還気送風機
２７  給気送風機
２８  半円状の風洞
２９  熱交換された冷気
３０  冷蔵若しくは冷房対象施設
【図１】
0003182732.tif 000003
(57)【要約】      （修正有）【課題】長期間の使用でもストレッチ効果を損なわないストレッチ素材を使用するソファカバーを提供する。【解決手段】織物生地を使用せず、複雑にポリウレタン糸２を編み込むことができるラッセル編み機により編成されたストレッチ素材を利用してソファカバーを作製する。ソファカバーを長期間使用する上で、数本の糸が切れることがあっても、複雑にポリウレタン糸２が絡んでいるため、ストレッチ性を損なうことがない。【選択図】図２
0003182739.tif 000002
【実用新案登録請求の範囲】
【請求項１】
４．５〜１４ゲージの針床を有するラッセル編機により編成され、ポリウレタン糸を編み込むことにより、横方向の伸縮率を１４０〜１８０％を有する編み生地を用いて作製されたソファカバー。
【考案の詳細な説明】
【技術分野】
【０００１】  本考案は、ラッセル編み機で編んだストレッチ素材からなるソファカバーに関する。
【背景技術】
【０００２】  織機によって織られたストレッチ素材を利用して作製したソファカバーは、現在の市場に流通している製品の主流である。
【考案の概要】
【考案が解決しようとする課題】
【０００３】  しかしながら、織機で織られたストレッチ素材を利用して作製したソファカバーは、単純に伸縮性のあるポリウレタン糸が織り込まれているため、長期間の使用によりポリウレタン糸が切れ、ストレッチ効果を損なってしまうなどの欠点があった。（特開平１１−３０９０４９号  公報参照）
【課題を解決するための手段】
【０００４】  織物生地を使用せず、複雑にポリウレタン糸を編み込むことができるラッセル編み機により編成されたストレッチ素材を利用してソファカバーを作製することで上記課題を解決するものである。
【考案の効果】
【０００５】    本考案に係るソファカバーは、複雑に編み込まれたポリウレタン糸によって耐久性とソファに対するフィット性の向上をはかることができる。また生産性、コスト面においても織物生地よりもラッセル編み機で編んだ編み物生地のほうが優位である。【０００６】    織機によって織られたストレッチ織物生地は、綿２０／２の糸を用いて、仕上がり７２本／インチの密度の生地を生産した場合、３０〜４０ｃｍ／時間ほど生産できるが、ラッセル編み機で編成されたストレッチ生地は、５２コース／インチで編成した場合、４ｍ／時間ほど生産できる。【０００７】    ストレッチ機能を有する織物生地は、ポリウレタン糸が縦方向、横方向もしくは両方向に他の糸と複雑に絡むことなく織られているため、長期間の使用する上でポリウレタン糸が切れ、耐久性がない。ラッセル編み機で編成されたストレッチ生地は、ポリエステル糸にポリウレタン糸が複雑に絡み、またポリウレタン糸が１インチ間に９〜２８本編み込まれていることによって、長期間の使用に耐えうる耐久性を有し、ストレッチ性を損なわない生地が編成される。ソファカバーを長期間使用している上で、数本の糸が切れることがあっても、複雑にポリウレタン糸が絡んでいるためストレッチ性を損なうことがない。
【図面の簡単な説明】
【０００８】
【図１】本考案のソファカバーの外観斜視図である。
【図２】本考案に係る編地の地組織の編成組織図である。
【考案を実施するための形態】
【０００９】    編み物は、４．５〜１４ゲージの針床を有するラッセル編機により３０〜６０コース／インチの密度に編成され、柄糸は綿糸、ポリエステル糸のいずれか、または２素材を同時に使用し、地糸Ｌ１にはポリエステル・マルチフィラメント糸、Ｌ２、Ｌ３にはポリウレタン糸を使用する。
【００１０】    柄糸に使用する糸は、綿糸の場合２０／２〜４０／２を用いるのが最適である。単糸を使用することは糸にテンションが掛り、糸が切れやすくなるので編成することは困難である。ポリエステル糸を用いる場合は、２００〜６００デニールのマルチフィラメント糸を使用する。綿糸とポリエステル糸を同時に使用する場合も同様の番手の糸を用いることが望ましい。
【００１１】    Ｌ２、Ｌ３に用いられているポリウレタン糸は、Ｌ１のポリエステル糸の連結糸であり、複数コース、ポリエステル糸に絡んだ後、１ないし複数ウェール離れたＬ１のポリエステル糸の網目に向かって絡み、その後元のＬ１のポリエステル糸に戻ることにより連結層を構成する。
【００１２】    上記により、ポリエステル糸にポリウレタン糸が複雑に絡み、またポリウレタン糸が１インチ間に９〜２８本編み込まれていることによって、長期間の使用に耐えうる耐久性を有し、ストレッチ性を損なわない生地が編成される。
【００１３】    最適なストレッチ性を持たせるために、整理加工時に編地のウェール方向の伸縮率を１４０〜１８０％に仕上げる。
【００１４】    上記により編成された編み生地を裁断、縫製を行ない本考案の製品を作製する。
【符号の説明】
【００１５】１  ポリエステル糸
２  ポリウレタン糸
【図１】
0003182739.tif 000003
【図２】
0003182739.tif 000004
(57)【要約】      （修正有）【課題】急いでいる時に、短時間で乾燥できる衣類乾燥機を提供する。【解決手段】スタンドによって支持される本体ボディーを有し、前記本体ボディーには、ドライヤーの送風口と連結される耐熱ビニール筒と、前記耐熱ビニールとは反対側に位置し、ドライヤーの温風を排気するための外フタが設けられ、前記本体ボディーの内部には、前記本体ボディーの内面に形成されるベアリング溝に保持されるベアリングによって支持され、空気の流れによって回転力を発生するプロペラ部が設けられていることを特徴とする衣類乾燥機。【選択図】図１
0003182712.tif 000002
【実用新案登録請求の範囲】
【請求項１】
下着や小物衣類、子供用衣類を急速に乾燥できる、衣類乾燥機、
【考案の詳細な説明】
0003182712.tif 000003
0003182712.tif 000004
【手続補正書】
【提出日】平成24年12月13日(2012.12.13)
【手続補正１】
【補正対象書類名】明細書
【補正対象項目名】全文
【補正方法】変更
【補正の内容】
【考案の詳細な説明】
【技術分野】
【０００１】      この考案は温風により衣類を乾燥する衣類乾燥機に関するものである。
【背景技術】
【０００２】    従来の乾燥機は回転ドラム内を温風あるいはヒーターにより高温の状態にして、衣類から水分を蒸発させていた。
【考案の概要】
【考案が解決しようとする課題】
【０００３】    しかし従来の乾燥機の回転ドラムには、強制的な排気方法が設けられておらず、蒸発した水分は、乾燥機内の低温部分において凝縮し、再び水分に戻っていた。そのため回転ドラム内は高湿度の状態が継続し、衣類の乾燥に多大の時間を要するとともに、乾燥度の点からも不十分な点があった。
【課題を解決するための手段】
【０００４】    温風を送り込んで水分の蒸発を促すと共に、排気路を確保して、蒸発した水分が凝縮して再び水分に戻らないようにすることにより、乾燥機内部を低湿度の状態に維持できるようにする。また送り込む温風の風力を利用して、衣類収納部を回転させる。
【考案の効果】
【０００５】    衣類等の乾燥が極めて速く行なえる為、時間のむだを省くことが出来る。また衣類の乾燥度もより高くなる。
【図面の簡単な説明】
【０００６】
【図１】本考案の衣類乾燥機の外観図である。
【図２】本衣類乾燥機の内部構成図である。
【図３】本衣類乾燥機内部の耐熱プラスティック球体を示す図である。
【考案を実施するための形態】
【０００７】    ヘアードライヤー等の温風送風装置からの温風を、衣類を収納する球体部に送り、この温風が球体入口部のプロペラにあたって、球体を回転させるとともに、温風も乱流の状態になり、送風した風が衣類全体に接触し、短時間で衣類の乾燥を行う。
【実施例】
【０００８】    以下、本案の実施例を説明する    図１は、本考案による衣類乾燥機の外観図である。本装置は、耐熱プラスティック製の本体２に温風を供給するヘアードライヤーを接合して使用する。【０００９】    図２に示すように、本体２の内壁中央部に溝を設け、耐熱プラスティック球体９の外側に設けたベアリング７と嵌合させる。これにより耐熱プラスティック球体９は小さな回転力で回転することが可能になる。【００１０】    また、耐熱プラスティック球体９の温風入り口部に、プロペラ１０を設け、ここを通過する温風により、耐熱プラスティック球体９の回転力を得る。このとき温風はプロペラ１０に当たることにより、流れが乱され乱流の状態になり、耐熱プラスティック球体９の内部全体に行き渡るようになる。【００１１】    また耐熱プラスティック球体９には温風の出口を設け、耐熱プラスティック球体９内の衣類に接触した温風が耐熱プラスティック球体９外部に排出されやすくする。これにより衣類に接触して水分を多く含んだ温風が、耐熱プラスティック球体９内に滞留するのを防止することができるようになる。 
【符号の説明】
【００１２】    1外フタ    2本体ボディー    3フタ止め金    4スタンド    5耐熱ビニール筒    6マジックテープ（登録商標）    7ベアリング    8内フタ    9耐熱プラスティック球体    10球体一体型プロペラ    11ベラリング用溝
【手続補正２】
【補正対象書類名】実用新案登録請求の範囲
【補正対象項目名】全文
【補正方法】変更
【補正の内容】
【実用新案登録請求の範囲】
【請求項１】
ベアリングで支持され、空気の流れによって回転力を発生するプロペラ部と排気部を設けた衣類収納容器を特徴とする衣類乾燥機
【手続補正３】
【補正対象書類名】図面
【補正対象項目名】全図
【補正方法】変更
【補正の内容】
【図１】
0003182712.tif 000005
【図２】
0003182712.tif 000006
【図３】
0003182712.tif 000007
【手続補正書】
【提出日】平成25年2月4日(2013.2.4)
【手続補正１】
【補正対象書類名】実用新案登録請求の範囲
【補正対象項目名】全文
【補正方法】変更
【補正の内容】
【実用新案登録請求の範囲】
【請求項１】
スタンドによって支持される本体ボディーを有し、前記本体ボディーには、ドライヤーの送風口と連結される耐熱ビニール筒と、前記耐熱ビニールとは反対側に位置し、ドライヤーの温風を排気するための外フタが設けられ、前記本体ボディーの内部には、前記本体ボディーの内面に形成されるベアリング溝に保持されるベアリングによって支持され、空気の流れによって回転力を発生するプロペラ部が設けられていることを特徴とする衣類乾燥機。
(57)【要約】      （修正有）【課題】鍵のヘッド部と挿入部を別々に型を取り、鋳造段階で任意の組み合わせで鋳造する事で多様性を持たせたブランキーのコストを下げ、量産を容易にして、鍵を装身具としても使える様にしたアクセサリーキーを提供する。【解決手段】型取りされたヘッド部１と、前記ヘッド部とは別のパーツとして型取りされた挿入部２とを組み合わせてブランクキーの鋳型３を形成し、鋳形にする。前記ヘッド部に文字や数字、ロゴマークや模様等の彫刻を施し、前記挿入部に鍵山を彫りアクセサリーキー４とする。【選択図】図１
0003182719.tif 000002
【実用新案登録請求の範囲】
【請求項１】
ヘッド部と挿入部などを別々のパーツとして型取りし、任意の組み合わせで貴金属等により鋳造したブランクキーを製作する事。
【請求項２】
製作したブランクキーに文字や数字、ロゴマークや模様等の彫刻などを施す事によりデザイン性を持たせ、鍵山を彫る事で実用性も兼ね備える装身具。
【考案の詳細な説明】
【技術分野】
【０００１】本考案は、多様性を持たせたブランクキーの鋳造または、その加工に関する。
【背景技術】
【０００２】従来の鍵をモチーフとしたアクセサリーは、実用性を兼ね備えておらず装飾品として身に着けるのみである、また、従来の鍵は、鍵を開ける、閉めるなどの行為に使用するのみであり、多様性の無い物である。
【考案が解決しようとする課題】
【０００３】しかしながら、以上の技術によれば、鍵をモチーフとしたアクセサリーは鍵としての実用性は無く、また従来の鍵は装飾品としての前提は無い、鍵として使えるアクセサリーに多様性やデザイン性を持たせようとした場合その性質上、量産性やコスト面で不向きである、よって量産性とコストを抑えての生産を課題とする。
【課題を解決するための手段】
【０００４】以上の課題を解決するために第一考案は、鍵のヘッド部と挿入部を別々に型を取り、鋳造段階で任意の組み合わせで鋳造する事で多様性を持たせたブランキーのコストを下げ、量産を容易にする考案である．
【０００５】第二考案は、第一考案で製造したブランクキーに文字、数字、ロゴマーク、模様等を刻印や彫刻などによって彫り込む事で更にデザイン性を高める考案である。
【考案の効果】
【０００６】第一考案、第二考案によれば始めから身に着ける事を前提としてデザイン製造しているのでアクセサリーとして鍵を身につけ、管理する事が出来るようになる。
【図面の簡単な説明】
【０００７】
【図１】図１は製造過程をあらわした説明図である。
【図２】図２は組み合わせをあらわした説明図である。
【符号の説明】
【０００８】１任意のデザインを施したヘッド部の型
２ブランクキー挿入部の型
３鋳造型
４完成図
【図１】
0003182719.tif 000003
【図２】
0003182719.tif 000004
【手続補正書】
【提出日】平成25年1月18日(2013.1.18)
【手続補正１】
【補正対象書類名】実用新案登録請求の範囲
【補正対象項目名】全文
【補正方法】変更
【補正の内容】
【実用新案登録請求の範囲】
【請求項１】
型取りされたヘッド部と、前記ヘッド部とは別のパーツとして型取りされた挿入部とを組み合わせてなることを特徴とするブランクキー。
【請求項２】
請求項１記載のブランクキーにおいて、前記ヘッド部が文字や数字、ロゴマークや模様等の彫刻を施したものであり、前記挿入部に鍵山が彫られたことを特徴とするアクセサリーキー。
(57)【要約】      （修正有）【課題】ナビゲーションやマルチメディア機器を、自動車のダッシュボード周りのＡ／Ｃ吹き出し口に簡単に取り付け、または簡単に取り外しが可能な支持具を提供する。【解決手段】自動車のダッシュボード周りのＡ／Ｃ吹き出し口のルーバー間の隙間に、支持プレートの上部を、吹き出し口のサイズ・形状などに合わせ、クランク状に折り曲げ、回転させながら差し込み固定し、又、下部はナビゲーションやマルチメディア機器のサイズ・形状に合わせ，手前に鍵状に折り曲げる支持具とする。【選択図】図４
0003182715.tif 000002
【実用新案登録請求の範囲】
【請求項１】
ナビゲーションやマルチメディア機器を、自動車のダッシュボード周りのＡ／Ｃ吹き出し口に簡単に取り付け、または簡単に取り外しが可能な支持具。
【考案の詳細な説明】
【技術分野】
【０００１】        本考案は、ナビゲーションやマルチメディア機器を、自動車のダッシュボード周りのＡ／Ｃ吹き出し口に簡単に取り付け、または簡単に取り外しが可能な支持具の提供である。
【背景技術】
【０００２】        従来の取付け支持具は、固定されるか半固定で、取り付け又は再取り付けに時間と技術を要す。【０００３】        本考案は、ダッシュボード上に固定されたナビゲーションやマルチメディア機器が、不必要な時も固定されたままで視界を遮る、又、車中の高温度の中での故障を招く原因になる、等の欠点を除くものである。
【先行技術文献】
【特許文献】
【０００４】
【特許文献１】
【非特許文献１】
【０００５】
【非特許文献１】
【考案の概要】
【考案が解決しようとする課題】
【０００６】        本考案は、ナビゲーションやマルチメディア機器は目的地に正確に且つ安全に導く機能であるが、必要としない時は前方の視界を遮る、又、車中の高温度の中で機器の故障を招く原因になる、等の欠点を除くものである。
【課題を解決するための手段】
【０００７】        本考案は、ナビゲーションやマルチメディア機器を必要な時に簡単に取り付けまたは簡単に取り外す事が出来る支持具である。
【考案の効果】
【０００８】        以上の説明から明らかなように、本考案は必要な時に素早く簡単にナビゲーションやマルチメディア機器の取り付け、取り外しが可能な支持具である。
【図面の簡単な説明】
【０００９】
【図１】        本考案の平面図
【図２】        本考案の立面図
【図３】        本考案の側面図
【図４】        本考案の断面図
【考案を実施するための形状】
【００１０】        以下、本考案の実施の形態を図に基づいて説明する。
【実施例１】
【００１１】        図１〜４は、本考案の支持具であり、支持具の上部よりＡ／Ｃ吹き出し口のルーバー間の隙間に、回転しながら差し込むように挿入し、Ａ／Ｃ吹き出し口の下枠上に乗せる。これによって下方行に掛かる荷重に対応できるものとする。また、ゴムクッションを取り付けることにより機器の保護・横滑り等に対応できる。
【実施例２】
【００１２】        図４は、本考案の実施例１の断面図である。Ａ／Ｃ吹き出し口のサイズ・形状・ルーバー間の隙間等に合わせ、本考案の支持具を加工する事で全ての自動車のＡ／Ｃ吹き出し口に対応が可能である。
【産業上の利用可能性】
【００１３】
【符号の説明】
【００１４】
【図１】
0003182715.tif 000003
【図２】
0003182715.tif 000004
【図３】
0003182715.tif 000005
【図４】
0003182715.tif 000006
【手続補正書】
【提出日】平成25年1月17日(2013.1.17)
【手続補正１】
【補正対象書類名】実用新案登録請求の範囲
【補正対象項目名】全文
【補正方法】変更
【補正の内容】
【実用新案登録請求の範囲】
【請求項１】
自動車のダッシュボード周りのＡ／Ｃ吹き出し口のルーバー間の隙間に、支持プレートの上部を、吹き出し口のサイズ・形状などに合わせ、クランク状に折り曲げ、回転させながら差し込み固定し、又、下部はナビゲーションやマルチメディア機器のサイズ・形状に合わせ，手前に鍵状に折り曲げる支持具。
(57)【要約】      （修正有）【課題】植物灰化エキスのヨウ素分離時の炭酸カルシウムによる閉塞を防止するヨウ素分離装置を提供する。【解決手段】イオン交換樹脂を充填するカラムを使用せず、イオン交換樹脂を充填した網または袋２に、上面から植物灰化エキスを、通水ポンプ３により注水することにより、炭酸カルシウムを樹脂間もしくは樹脂上面に留まらせず網または袋から放出することで閉塞を防ぐことを特徴とする。【選択図】図１
0003182718.tif 000002
【実用新案登録請求の範囲】
【請求項１】
ヨウ素を含む植物灰化エキスを、網または袋に陰イオン交換樹脂を充填し、その網または袋上部から液体を注水する形式を特徴とする植物灰化エキスからのヨウ素分離装置。
【考案の詳細な説明】
【技術分野】
【０００１】  本考案は、植物灰化エキスからヨウ素を分離する装置に関するものである。
【背景技術】
【０００２】  海草を含む植物を高温で焼いた灰から水で抽出したエキスには、ヨウ素が１００ｍｇ／ｌ程度含まれる。大人が１日に摂取するヨウ素の総量上限値は国際基準で２．２ｍｇ以下とされており、植物灰化エキスを２．２ｍｌ摂取しただけで超過してしまうため、ヨウ素を分離する装置の開発が必要とされている。【０００３】  しかし、植物灰化エキスはｐＨが高く塩分濃度が３％程度あり、ヨウ素吸着用イオン交換樹脂をカラムに入れ通水し、長時間かけてヨウ素を吸着させると酸化還元電位が上がり、さらに、炭酸カルシウムが生成しイオン交換樹脂カラムの上面及び隙間に溜まりカラムが閉塞してしまうという欠点があった。【０００４】  カラム通水時に通水液が閉塞すると、ポンプに負荷がかかると共に配管やカラムの破裂の可能性があり、この欠点は大きな障害である。【０００５】  この改善策として、イオン交換樹脂カラムを使用せずイオン交換樹脂を袋に入れ植物灰化エキスに浸漬した後、当該袋上部から液体を注水する事により、炭酸カルシウムによる閉塞を防止する形状とした。これにより、イオン交換樹脂は常に動く状態となるため、炭酸カルシウムは樹脂間に貯まることなく液中に放出される。
【先行技術文献】
【特許文献】
【０００６】
【特許文献１】特開２０１１−６７１６８号公報
【考案の概要】
【考案が解決しようとする課題】
【０００８】  解決しようとする問題点は、植物灰化エキス中の炭酸カルシウムがイオン交換時に生成し樹脂間及びカラムの樹脂上面に詰まることを防げない点にある。
【課題を解決するための手段】
【０００９】  本考案は、イオン交換樹脂を充填するカラムを使用せず、イオン交換樹脂が通過しない程度の網または袋にイオン交換樹脂を充填し、上面から対象となる植物灰化エキスを注水し、樹脂が常に動く状態にする事で、生成した炭酸カルシウムを樹脂間もしくは樹脂上面に留まらせず網または袋から放出することで閉塞を防ぐことを最も主要な特徴とする。
【考案の効果】
【００１０】  本考案のヨウ素分離装置は、イオン交換樹脂が注水により常に動く形状にする事で、生成した炭酸カルシウムを樹脂間もしくは樹脂上面に留まらせず網または袋から放出することで閉塞を防ぐことができるという利点がある。
【図面の簡単な説明】
【００１１】
【図１】図１はヨウ素分離の実施方法を示した説明図である。
【考案を実施するための形態】
【００１２】  イオン交換樹脂充填網または袋により、炭酸カルシウムの生成による閉塞を防止しするという目的を実現した。
【実施例】
【００１３】  図１は、本考案装置の実施例の断面図である。１は植物灰化エキス、２はイオン交換樹脂を充填した網または袋、３は通水用ポンプ、４は攪拌装置、５はステンレスタンク、６はステンレス配管である。【００１４】  植物灰化エキスは３の通水ポンプにより２のイオン交換樹脂充填網の上部に注水され、樹脂にヨウ素イオンが吸着される。４の攪拌装置は、ヨウ素が低減された液と元の液を均一にして、ヨウ素吸着終了時にヨウ素濃度が全体に同じになるよう攪拌するためである。【００１５】  イオン交換樹脂は網または袋に充填されているため、カラムと違い柔軟性を持っており上部からの注水により樹脂が常に動く状態を作り出している。
【産業上の利用可能性】
【００１６】  ヨウ素吸着だけでなく、イオン交換樹脂の種類を変えるだけで、飲料用水中のカドミウム、鉛、砒素分離などの用途にも適用できる。
【符号の説明】
【００１７】１．植物灰化エキス
２．イオン交換樹脂を充填した網または袋
３．通水用ポンプ
４．攪拌装置
５．ステンレスタンク
６．ステンレス配管
【図１】
0003182718.tif 000003
【手続補正書】
【提出日】平成25年1月16日(2013.1.16)
【手続補正１】
【補正対象書類名】実用新案登録請求の範囲
【補正対象項目名】全文
【補正方法】変更
【補正の内容】
【実用新案登録請求の範囲】
【請求項１】
植物灰化エキスをステンレスタンクに満たし、陰イオン交換樹脂を充填した網または袋をステンレスタンクの上部に設置し植物灰化エキスに浸漬した状態において、ステンレスタンク下部からポンプによって陰イオン交換樹脂を充填した網または袋の上部に植物灰化エキスを注水し、植物灰化エキスに含まれるヨウ素を陰イオン交換樹脂に吸着させることを特徴とする植物灰化エキスのヨウ素分離装置。
(57)【要約】      （修正有）【課題】在来の骨壷の無機質なイメージを払拭して、部屋のインテリアを兼ね亡きペットと共に居るような明るく楽しい感覚のペット用骨壷を提供する。【解決手段】支持台１の上に載置もしくは設置したカップ状骨壷本体と、該カップ状骨壷本体の外周を囲みかつ上方をドーム状に覆うキャップ状外蓋体３とより成り、該キャップ状外蓋体３の少なくとも片側面に、亡きペットの写真等の表示部４を設ける。【選択図】図１
0003182711.tif 000002
【実用新案登録請求の範囲】
【請求項１】
支持台の上に載置もしくは設置したカップ状骨壷本体と、該カップ状骨壷本体の外周を囲みかつ上方をドーム状に覆うキャップ状外蓋体とより成り、該キャップ状外蓋体の少なくとも片側面に、亡きペットの写真等の表示部を設けたことを特徴とするペット用骨壷。
【考案の詳細な説明】
【技術分野】
【０００１】この考案は、ペットの遺骨や遺品等を収納すると同時に、思い出を喚起させ安らぎを与えるようなインテリアにもなるペット用骨壷に関する。
【背景技術】
【０００２】飼い主にとって家族同様に過ごしたペットとの死別は大きな悲しみであるが、その弔いには独自の墓を作り、遺骨等を納めた骨壷を埋葬したりするのが通例である。
【考案の開示】
【考案が解決しようとする課題】
【０００３】その場合、ペットとの楽しい思い出をいつまでも身近に感じていられるような安らぎ感を、日常の生活空間の中に持ち込むことは困難である。本考案はこのような現状から、在来の骨壷の無機質なイメージを払拭して、部屋のインテリアを兼ねつつ亡きペットと共に居るような明るく楽しい感覚のペット用骨壷を提供することを課題とする。
【課題を解決するための手段】
【０００４】支持台１の上に載置もしくは設置したカップ状骨壷本体２と、該カップ状骨壷本体２の外周を囲みかつ上方をドーム状に覆うキャップ状外蓋体３とより成り、該キャップ状外蓋体３の少なくとも片側面に、亡きペットの写真等の表示部４を設けて、本考案のペット用骨壷とする。【０００５】ここで言う支持台１はカップ状骨壷本体２の底面より大きめの段付き円板型が好ましく、原則として両者を一体化しておくことが望ましい。【０００６】また必要に応じ、カップ状骨壷本体２の上に載置する内蓋５をセットする。【０００７】本考案のペット用骨壷を使用するには、カップ状骨壷本体２の中にペットの遺骨或いはリボンやネームタグなどの遺品を納め、内蓋５で蓋をしてキャップ状外蓋体３を被せ、部屋の身近なところに載置する。なお、キャップ状外蓋体３における表示部４には予めペットの写真等を転写するなどして面影を表示しておく。そのため、その表示部４は平坦状になるように形成しておくことが好ましい。【０００８】なお本考案のペット用骨壷の材質は、お香等の熱に耐え長期にわたって変化しないような陶磁器製が好ましい。
【考案の効果】
【０００９】本考案によれば、亡きペットへの想いを室内におけるインテリアのように具象化した形にすることにより、単なる無機質な骨壷の感覚ではなく、いつも思い出が身近に感じられるような安らぎの品にすることができるという効果がある。
【考案を実施するための最良の形態】
【００１０】厚さ約７ｍｍで直径が各１２６ｍｍ、９８ｍｍ、７０ｍｍであるような円板を積み重ねた形状の支持台１の上に、高さ５０ｍｍ、直径５６ｍｍの円筒容器状のカップ状骨壷本体２を載置してこれらを陶器で一体形成する。別部品の載置型の内蓋５を備え付けるとともに、天井部がドーム状で側部が円筒状の高さ約９５ｍｍ、直径約８５ｍｍのキャップ状外蓋体３を同じく陶器で形成し、これを上記円板の２段目の上に同３段目の外縁を囲んで被せられるようにする。またそのキャップ状外蓋体３の片側面には平坦箇所を設け、そこにペットの写真をプリント転写し、その下側面にペットの名前を、更に別の側面箇所に命日メッセージなどを記載転写する。
【産業上の利用可能性】
【００１１】本考案のペット用骨壷はニーズが高く、個々の要望に対応した製造も容易であるから、産業上の利用可能性は十分にある。
【図面の簡単な説明】
【００１２】
【図１】本考案一例の見取図
【図２】本考案の外蓋体を外した状態の見取図
【符号の説明】
【００１３】  １……支持台                          ２……カップ状骨壷本体
３……キャップ状外蓋体                ４……表示部
５……内蓋
【図１】
0003182711.tif 000003
【図２】
0003182711.tif 000004
(57)【要約】      （修正有）【課題】インナーベルトと硬質のプラスチックおよびクリップを組み合わせ、インナーベルトをズボンの内側、腰骨の位置に装着して、クリップでズボンを吊り下げるように工夫したインナーサスペンダーを提供する。【解決手段】硬質プラスチック製の支柱を布で包み込む２と共に、前記支柱の下部には輪を設け、前記支柱の上部にはクリップを設けて、前記輪にインナーベルト５を通してなる。【選択図】図３
0003182717.tif 000002
【実用新案登録請求の範囲】
【請求項１】
インナーベルトと、先端にクリップの付いた硬質プラスチック（あるいはこれに類するもの）を組み合わせて、ズボンの内側の腰骨の位置でインナーベルトを締めて、ズボンの内側からズボンを吊り下げるようにしたもの。
【考案の詳細な説明】
【技術分野】
【０００１】  本考案は、ズボンがずり落ちないように、インナーベルトに支柱をつけた、サスペンダーに関するものである。
【背景技術】
【０００２】  ズボンがずり落ちないようにするために、これまでは、ベルトまたはサスペンダーを用いていた。
【考案の概要】
【考案が解決しようとする課題】
【０００３】  従来は、サスペンダーを使用した場合、肩こりが発生することが有り、また、ベルトでズボンを止めた場合は、ベルトが腰骨の位置まで下がり、ズボンの裾を引きずる事により、裾が擦り切れることが多かった。
【問題を解決するための手段】
【０００４】  本考案は、インナーベルトと硬質のプラスチックおよびクリップを組み合わせ、インナーベルトをズボンの内側、腰骨の位置に装着して、クリップでズボンを吊り下げるように工夫したことにより問題点を解決している。
【考案の効果】
【０００５】  サスペンダーとは異なり肩こりを起こすことがなく、ベルトとは異なりズボンがずり下がることによる裾の擦りきれを防ぐことが出来、ズボンをはいたときの見た目を良くするためにインナー・サスペンダーとベルトを併用した場合においても、ベルトを強く締める必要が無いため、引っ張られる力によってベルトの穴が変形することを抑えることが出来る。
【図面の簡単な説明】
【０００６】
【図１】  支柱となる硬質プラスチック。
【図２】  支柱となる硬質プラスチックを布で包み込み、その上部にクリップを取り付け、下部を輪にした状態。
【図３】  インナーベルトに、支柱となる硬質プラスチック（布で包み込んで上部にクリップを付けた物）を取り付けた状態。
【図４】  インナー・サスペンダーでズボンを吊り下げている外見。
【図５】  ズボン内部の、インナー・サスペンダーの状態。
【考案を実施するための形態】
【０００７】  ズボンを支えるための支柱として、硬質プラスチック、あるいはこれに類する素材のものを使用する。
【０００８】  硬質プラスチックあるいはこれに類する素材を布で包み込み、その下部を、ベルトが通るように輪状にし、上部にクリップを取り付ける。（図２）
【０００９】  支柱となる硬質プラスチック（布で包み込んで上部にクリップのついたもの）の下部の輪の中にインナーベルトを通す。（図３）
【実施例】
【００１０】  支柱となる硬質プラスチック（布で包み込んで上部にクリップのついたもの）を取り付けたインナーベルトを、腰の位置で、カッターシャツなどズボンの中に入れるシャツ類の上から締めて、クリップでズボンを吊り下げる。【００１１】  クリップでズボンを吊り下げるが、クリップの代わりに、ホック、釦、あるいは布で包み込んだ硬質プラスチックの上部をズボンの布の中に差し入れてズボンを吊り下げる方式も、本考案の一部である。
【符号の説明】１  硬質プラスチック
２  硬質プラスチックを布で巻いた状態
３  硬質プラスチックの上部に取り付けたクリップ
４  硬質プラスチックの下部の輪
５  インナーベルト
６  ズボン
【図１】
0003182717.tif 000003
【図２】
0003182717.tif 000004
【図３】
0003182717.tif 000005
0003182717.tif 000006
【手続補正書】
【提出日】平成25年1月15日(2013.1.15)
【手続補正１】
【補正対象書類名】実用新案登録請求の範囲
【補正対象項目名】全文
【補正方法】変更
【補正の内容】
【実用新案登録請求の範囲】
【請求項１】
硬質プラスチック製の支柱を布で包み込むと共に、前記支柱の下部には輪を設け、前記支柱の上部にはクリップを設けて、前記輪にインナーベルトを通してなることを特徴とするインナー・サスペンダー。
【手続補正２】
【補正対象書類名】図面
【補正対象項目名】全図
【補正方法】変更
【補正の内容】
【図１】
0003182717.tif 000007
【図２】
0003182717.tif 000008
【図３】
0003182717.tif 000009
【図４】
0003182717.tif 000010
【図５】
0003182717.tif 000011